(57)【特許請求の範囲】
【請求項１】
ファンが設置されるファン室と、
圧縮機が設置される機械室と、
前記ファン室と前記機械室とを分け、角部を有するセパレーターと、
前記セパレーターの機械室側の前記角部の側面に、該側面との間に空隙を有するように固定されたＬ字形を有する板金と、
略軸方向にスリットが形成された略円筒部分と該スリットの両端部に接続された板面部分とを有し、前記板面部分が前記板金にネジ止めされることで、前記セパレーターに固定されるクランプと、
前記クランプに挿入され、スリットが略軸方向に形成されたラバーチューブと、
前記圧縮機に接続され、前記ラバーチューブに挿入される配管と、
を備え、
前記クランプの前記板面部分が前記板金にネジ止めされることで、前記クランプの略円筒部分が前記ラバーチューブを介して前記配管を締め付けて固定し、
前記ラバーチューブは、内側面に螺旋状の突条部を有する
ことを特徴とする空気調和機の室外機。
【請求項２】
前記クランプの板面部分と前記板金との間にラバーシートを備えたことを特徴とする請求項１に記載の空気調和機の室外機。
【請求項３】
前記クランプの略円筒部分の内側面に複数の突起を有することを特徴とする請求項１又は請求項２に記載の空気調和機の室外機。
【発明の詳細な説明】
【技術分野】
【０００１】
本発明は、配管を固定する構造を有する空気調和機の室外機に関するものである。
【背景技術】
【０００２】
配管を固定する構造を有する空気調和機の室外機として、「四方弁などの冷媒回路部品に緩衝性を持った固定具を取り付け、この固定具を前記仕切板や前記筐体、あるいは、これらに固定されたアングルへ固定することにより、前記冷媒配管の振動および、前記四方弁などの冷媒回路部品自体から発生される振動を伝えること無く、前記仕切板や前記筐体などへ固定することが可能となる。」というものがある（特許文献１参照。）。
また、「垂直姿勢にしたアキュームレータ９の外周に、環状部２１の１箇所に切れ目２２を有する固定バンド２０を嵌合してアキュームレータ９と固定バンド２０を締め付け関係に置き、固定バンド２０の切れ目２２から放射方向に突き出す延長部２３を、空気調和機室外機の天板３から垂下する取付板１０に固定する。アキュームレータ９の外周には下向きの段差９ａが形成されており、この段差９ａに固定バンド２０の上縁が当接する。アキュームレータ９と固定バンド２０の間には吸振材３０が挟み込まれる。」というものがある（特許文献２参照。）。
【先行技術文献】
【特許文献】
【０００３】
【特許文献１】特開２００３−１０６５６７号公報（要約、図２、図４）
【特許文献２】特開２００８−２９２０６２号公報（要約、図３、図５）
【発明の概要】
【発明が解決しようとする課題】
【０００４】
特許文献１においては、固定具において、ネジ等により配管が通る穴を締め付ける構造となっていないため、配管を押さえつける力が弱く振動の抑制効果が薄いという課題がある。
【０００５】
特許文献２においては、固定バンドに金属製のクランプを使用しているため、特に配管が上下に振動した場合に、配管が上下にずれてしまうため、配管の振動の抑制効果が薄いという課題があった。
【０００６】
本発明は、上記のような課題を解決するためになされたもので、第１の目的は、配管を固定する力が強く、それにより配管の振動を抑制することができる空気調和機の室外機を提供することである。
【０００７】
また、第２の目的は、特に配管が上下に振動した場合にも配管がずれないで固定される構造とすることで、振動を抑制することができる空気調和機の室外機を提供することである。
【課題を解決するための手段】
【０００８】
本発明における空気調和機の室外機は、ファンが設置されるファン室と、圧縮機が設置される機械室と、前記ファン室と前記機械室とを分け、角部を有するセパレーターと、前記セパレーターの機械室側の前記角部の側面に、該側面との間に空隙を有するように固定されたＬ字形を有する板金と、略軸方向にスリットが形成された略円筒部分と該スリットの両端部に接続された板面部分とを有し、前記板面部分が前記板金にネジ止めされることで、前記セパレーターに固定されるクランプと、前記クランプに挿入され、スリットが略軸方向に形成されたラバーチューブと、前記圧縮機に接続され、前記ラバーチューブに挿入される配管と、を備え、前記クランプの前記板面部分が前記板金にネジ止めされることで、前記クランプの略円筒部分が前記ラバーチューブを介して前記配管を締め付けて固定し、前記ラバーチューブは、内側面に螺旋状の突条部を有するものである。
【発明の効果】
【０００９】
本発明により、圧縮機に接続された配管をラバーチューブ及びクランプ等を介して空気調和機の室外機のセパレーターに固定することで、圧縮機から伝播する配管の振動を抑制することができる空気調和機の室外機を得ることができる。
【図面の簡単な説明】
【００１０】
【図１】本発明の実施の形態における空気調和機の室外機の内部構造の全体図である。
【図２】図１のＡ部拡大図である。
【図３】本発明の実施の形態における空気調和機の室外機のラバーチューブの拡大図である。
【図４】本発明の実施の形態における空気調和機の室外機のクランプ及びラバーシートの拡大図である。
【図５】本発明の実施の形態における空気調和機の室外機の各部品を分解した状態を示す図である。
【発明を実施するための形態】
【００１１】
以下、本発明における空気調和機の室外機の一例について、図面を用いて詳細に説明する。
【００１２】
実施の形態．
図１は、本発明の実施の形態における空気調和機の室外機の内部構造の全体図である。また、図２は、図１のＡ部拡大図である。
【００１３】
図１に示すように、本実施の形態における空気調和機の室外機は、ファン１１等を有するファン室２０と、圧縮機３等を有する機械室３０とがセパレーター１によって分けられている。
ファン室２０には、略中央にファン１１が設けられ、その外周は略Ｌ字状の熱交換器１２が設けられており、筐体（図示省略）によって囲まれている。
【００１４】
また、機械室３０は、冷媒回路内を流れる冷媒を圧縮する圧縮機３が設けられている。そして、圧縮機３の上方に、冷房運転と暖房運転との切替の際に冷媒が流れる方向を変更する四方弁２が設けられている。そして、圧縮機３と四方弁２とが、配管４によって接続されている。
【００１５】
なお、圧縮機３は、空気調和機の冷媒回路内を循環する冷媒を圧縮して高温高圧となった冷媒を凝縮側熱交換器（図示省略）へ流出させる。また、圧縮機３は、モーターの回転運動とシリンダー及び回転ローターとの組み合わせにより冷媒の圧縮を行い、振動を発生させる。
【００１６】
また、セパレーター１の機械室側側面には板金９が取り付けられている。そして、その板金９にラバーシート７を介してクランプ６がネジ止めされており、クランプ６の内側にラバーチューブ５が設けられている。そして、配管４はラバーチューブ５に挿入されており、クランプ６をネジ止めすることで、ラバーチューブ５及び配管４が固定される構造になっている。なお、ラバーチューブ５及びクランプ６については後に詳しく説明する。
なお、本実施の形態における空気調和機の室外機の構造は、図１に示した例に限られるものではない。
【００１７】
次にラバーチューブ５及びクランプ６について詳細に説明する。
図３は、本発明の実施の形態における空気調和機の室外機のラバーチューブの拡大図であり、図４は、本発明の実施の形態における空気調和機の室外機のクランプ及びラバーシートの拡大図である。
【００１８】
図３に示すように、ラバーチューブ５は略円筒形状であり、その上端部には略円形状のフランジ５ａが設けられており、下部には略円形状のフランジ５ｂが設けられている。上部のフランジ５ａ及び下部のフランジ５ｂをラバーチューブ５の外側に突出するように設けることで、クランプ６の内側に取り付けられるラバーチューブ５が上下にずれることを防止する。
【００１９】
また、ラバーチューブ５の一箇所に略軸方向のスリット５ｄが形成されている。そして、ラバーチューブ５は、外部から内側方向に向けて力を加えることでこのスリット５ｄの幅が縮小し、内径が調節できる。これにより、内部に挿入される配管４を締め付けて固定することができる。
【００２０】
また、ラバーチューブ５の内側側面は、螺旋状の突条部５ｃが形成されている。この突条部５ｃが形成されていることで、ラバーチューブ５に挿入されている配管４が上下にずれないで固定される。
【００２１】
図４に示すように、クランプ６は略円筒部分と、その略円筒形状部分の一箇所に形成されたスリット６ｂの両端部に接続された板面部分とから形成されている。そして、板面部分において板金９に取り付けられる側にはラバーシート７が貼られており、圧縮機３から配管４等を介して伝わる振動が空気調和機の室外機の筐体に伝わることを抑止することができる。
【００２２】
また、クランプ６の板面部分６ｄにはネジ穴６ｅが空けられており、板金９にネジ止めすることでスリット６ｂの幅が縮小し、クランプ６が締め付けられ、略円筒部分の内側に挿入されたラバーチューブ５が締め付けられる。これにより、前述したようにラバーチューブ５は、スリット５ｄの幅が縮小し、内側に挿入された配管４が締め付けられる。これにより配管４が固定され振動を抑止することができる。
【００２３】
また、クランプ６の略円筒形状部分の内側側面には、複数の突起６ａが設けられている。この突起６ａにより、略円筒形状部分の内側に取り付けられるラバーチューブ５が上下にずれないように固定することができる。
【００２４】
図５は、本実施の形態における空気調和機の室外機の各部品を分解した状態を示す図である。
図５に示すように、板金９にはネジ穴が空けられている。そして、ラバーチューブ５に配管４を挿入し、クランプ６にラバーチューブ５を挿入する。そして、ラバーシート７、クランプ６の順に板金９に取り付け、クランプ６のネジ穴６ｅにネジ８を挿入することで上記の各部品が固定される。
なお、取り付けの手順は上記の手順に限定されるものではなく、同様の構成にすることができれば他の手順でもよい。
【００２５】
なお、ラバーチューブ５及びラバーシート７の材質は、例えばＥＰＤＭ（Ｅｔｈｙｌｅｎｅ  Ｐｒｏｐｙｌｅｎｅ  Ｄｉｅｎｅ  Ｍｏｎｏｍｅｒ）である。ＥＰＤＭは、耐候性、耐熱性、耐寒性及び耐薬品性等に優れているため、本実施の形態における空気調和機の室外機を様々な環境で長期間使用することが可能となる。
【００２６】
以上により、圧縮機３が接続する配管４をラバーチューブ５及びクランプ６等を介して空気調和機の室外機のセパレーター１に固定することで、圧縮機３から伝播する配管４の振動を抑制することができる空気調和機の室外機を得ることができる。
そして、配管４の振動を抑制することにより、配管４の折損及び固定位置からずれることを抑止できる。また、配管４に接続する部品及び空気調和機の室外機の筐体の振動も抑制されるため、各部品の落下又は固定位置からのずれ並びに音の発生を抑止することができる。
【符号の説明】
【００２７】
１  セパレーター、２  四方弁、３  圧縮機、４  配管、５  ラバーチューブ、５ａ，５ｂ  フランジ、５ｃ  突条部、５ｄ  スリット、６  クランプ、６ａ  突起、６ｂ  スリット、６ｃ  略円筒部分、６ｄ  板面部分、６ｅ  ネジ穴、７  ラバーシート、８  ネジ、９  板金、１１  ファン、１２  熱交換器、２０  ファン室、３０  機械室。
【図１】
0005449102.tif 000002
【図２】
0005449102.tif 000003
【図３】
0005449102.tif 000004
【図４】
0005449102.tif 000005
【図５】
0005449102.tif 000006